(57)【特許請求の範囲】
【請求項１】
シートに画像を印刷する印刷手段と、
画像が印刷されたシートに後処理を行う後処理手段と、
前記印刷手段による印刷を行わずに前記後処理手段による後処理を行うためのジョブの実行が指示された場合に、当該指示がなされる前に印刷データに基づいて生成された印刷物に対して、前記後処理手段による後処理を行わせる第１の制御手段と、
前記ジョブの実行時に前記印刷物のジャムエラーが発生した場合に、前記印刷データに基づいて前記印刷手段による印刷を行わせる第２の制御手段と、
を備えることを特徴とする印刷装置。
【請求項２】
前記印刷データを外部から受信する受信手段を更に備えることを特徴とする請求項１に記載の印刷装置。
【請求項３】
印刷データの一覧を表示する表示手段を更に備え、
前記受信手段は、前記表示手段によって表示された一覧から選択された印刷データを受信することを特徴とする請求項２に記載の印刷装置。
【請求項４】
前記第２の制御手段は、前記印刷物に含まれるページのうち、前記ジャムエラーが発生したページを特定し、当該特定したページを前記印刷手段に印刷させることを特徴とする請求項１乃至３のいずれか１項に記載の印刷装置。
【請求項５】
前記第２の制御手段の制御に基づく印刷を行うか否かを設定する設定手段を更に備えることを特徴とする請求項１乃至４のいずれか１項に記載の印刷装置。
【請求項６】
前記後処理は、ステイプル処理を含むことを特徴とする請求項１乃至５のいずれか１項に記載の印刷装置。
【請求項７】
シートに画像を印刷する印刷手段と、画像が印刷されたシートに後処理を行う後処理手段と、を備える印刷装置の制御方法であって、
前記印刷手段による印刷を行わずに前記後処理手段による後処理を行うためのジョブの実行が指示された場合に、当該指示がなされる前に印刷データに基づいて生成された印刷物に対して、前記後処理手段による後処理を行わせる第１の制御工程と、
前記ジョブの実行時に前記印刷物のジャムエラーが発生した場合に、前記印刷データに基づいて前記印刷手段による印刷を行わせる第２の制御工程と、
を備えることを特徴とする印刷装置の制御方法。
【請求項８】
コンピュータを請求項１乃至６のいずれか１項に記載の印刷装置の各手段として機能させるためのコンピュータ可読のプログラム。
【発明の詳細な説明】
【技術分野】
【０００１】
本発明は、印刷手段による印刷を行わずに後処理手段による後処理を行うためのジョブを実行可能な印刷装置、印刷装置の制御方法、及びプログラムに関するものである。
【背景技術】
【０００２】
従来の印刷業界に対抗して、近年、電子写真方式の印刷装置やインクジェット方式の印刷装置を利用したＰＯＤ（Ｐｒｉｎｔ  Ｏｎ  Ｄｅｍａｎｄ）印刷システムが提案されている（例えば、特許文献１参照）。このようなＰＯＤ印刷システムにより、版下作成や、その他複雑な作業が不要になる。
【先行技術文献】
【特許文献】
【０００３】
【特許文献１】米国特許公開公報US-2004-0190057号公報
【発明の開示】
【発明が解決しようとする課題】
【０００４】
しかしながら、このようなＰＯＤ印刷システムの製品実用化を目指すことを想定してみると、まだまだ検討の余地が残されていると考える。例えば、従来の印刷システムは、プリンタに接続されたインラインフィニッシャ（プリンタと紙パスがつながっているフィニッシャ）による後処理を、プリンタによる印刷を伴わずに利用できる構成とはなっていない。してみると、印刷手段に接続された後処理手段による後処理を、印刷手段による印刷を伴わずに利用できるようにした構成が今後要望される可能性を見越した提案をすべきと考える。しかし、このような要望自体が現状ないこともあって何ら有効な提案がなされていない。
【０００５】
本発明は、このような状況に鑑みてなされたものである。そして、本発明は、印刷手段による印刷を行わずに後処理手段による後処理を行うためのジョブの実行時にジャムエラーが発生した場合に、手間をかけずに印刷物を再生成することができる仕組みを提供することを目的とする。
【課題を解決するための手段】
【０００６】
上記目的を達成するため、本発明は、シートに画像を印刷する印刷手段と、画像が印刷されたシートに後処理を行う後処理手段と、前記印刷手段による印刷を行わずに前記後処理手段による後処理を行うためのジョブの実行が指示された場合に、当該指示がなされる前に印刷データに基づいて生成された印刷物に対して、前記後処理手段による後処理を行わせる第１の制御手段と、前記ジョブの実行時に前記印刷物のジャムエラーが発生した場合に、前記印刷データに基づいて前記印刷手段による印刷を行わせる第２の制御手段と、を備えることを特徴とする。
【発明の効果】
【０００７】
本発明によれば、印刷手段による印刷を行わずに後処理手段による後処理を行うためのジョブの実行時にジャムエラーが発生した場合に、手間をかけずに印刷物を再生成することができる。
【図面の簡単な説明】
【０００８】
【図１】本発明の実施形態に係るＰＯＤシステム１００００の全体を説明するための図である。
【図２】印刷システムの内部構成例を説明するための図である。
【図３】印刷システムの構成例を説明するための図である。
【図４】糊付け製本機の内部構成例を示す図である。
【図５】中綴じ製本機の内部構成例を示す図である。
【図６】本実施形態のユーザインタフェースとして機能する操作部を示す図である。
【図７】本実施形態のユーザインタフェースとして機能するユーザインタフェース画面の１例を示す図である。
【図８】大容量インサータの内部構成例を示す図である。
【図９ａ】本実施形態の具体例１の構成を説明するためのフローチャートである。
【図９ｂ】本実施形態の具体例１の構成を説明するためのフローチャートである。
【図１０】本実施形態のユーザインタフェースに係る制御例を説明するための図である。
【図１１】本実施形態のユーザインタフェースに係る制御例を説明するための図である。
【図１２】本実施形態のユーザインタフェースに係る制御例を説明するための図である。
【図１３】本実施形態のユーザインタフェースに係る制御例を説明するための図である。
【図１４】本実施形態の具体例１の構成を説明するためのフローチャートである。
【図１５】本実施形態のユーザインタフェースに係る制御例を説明するための図である。
【図１６】本実施形態のユーザインタフェースに係る制御例を説明するための図である。
【図１７】本実施形態のユーザインタフェースに係る制御例を説明するための図である。
【図１８】本実施形態の具体例２の構成を説明するためのフローチャートである。
【図１９】本実施形態のユーザインタフェースに係る制御例を説明するための図である。
【図２０】本実施形態のユーザインタフェースに係る制御例を説明するための図である。
【図２１ａ】本実施形態のユーザインタフェースに係る制御例を説明するための図である。
【図２１ｂ】本実施形態のユーザインタフェースに係る制御例を説明するための図である。
【図２１ｃ】本実施形態のユーザインタフェースに係る制御例を説明するための図である。
【図２１ｄ】本実施形態のユーザインタフェースに係る制御例を説明するための図である。
【図２１ｅ】本実施形態のユーザインタフェースに係る制御例を説明するための図である。
【図２１ｆ】本実施形態のユーザインタフェースに係る制御例を説明するための図である。
【発明を実施するための形態】
【０００９】
以下、添付図面を参照して、本発明を好適な実施形態に従って詳細に説明する。
【００１０】
図１のＰＯＤシステム１００００は、印刷システム１０００、１００１、スキャナ１０２、サーバコンピュータ１０３（ＰＣ１０３）、クライアントコンピュータ１０４（ＰＣ１０４）を有し、それらはネットワーク１０１を介して接続されている。また、ＰＯＤシステム１００００は、紙折り機１０７、断裁機１０９、中綴じ製本機１１０、くるみ製本機１０８等を有する。
【００１１】
図２を参照すると、印刷システム１０００および１００１は、印刷装置１００とシート処理装置２００とを有する。尚、本実施形態では、印刷装置１００として、コピー機能及びプリンタ機能等、複数の機能を有するＭＦＰ（Ｍｕｌｔｉ  Ｆｕｎｃｔｉｏｎ  Ｐｅｒｉｐｈｅｒａｌ）を例に取り説明する。しかしながら、印刷装置１００は、コピー機能のみ、あるいは、プリンタ機能のみの単一機能型の印刷装置であっても良い。
【００１２】
ＰＣ１０３は、ネットワーク１０１に接続された各種装置とのデータの送受信を管理する。ＰＣ１０４は、ネットワーク１０１を介して、画像データを印刷装置１００やＰＣ１０３に送信する。また、紙折り機１０７は、印刷装置１００で印刷されたシートの折り処理を行う。くるみ製本機１０８は、印刷装置１００で印刷されたシートに対するくるみ製本処理を行う。断裁機１０９は、複数枚のシートからなるシート束毎に、印刷装置１００で印刷されたシートの断裁処理を行う。中綴じ製本機１１０は、印刷装置１００で印刷されたシートに対する中綴じ製本処理を行う。
【００１３】
紙折り機１０７、くるみ製本機１０８、断裁機１０９、中綴じ製本機１１０を利用する場合、ユーザは印刷装置１００で印刷されたシートを印刷システム１０００、１００１から取り出し、利用する装置にセットし、その装置によって処理を実行させる。また、図１のＰＯＤシステム１００００が有する複数の装置のうち、中綴じ製本機１１０以外の装置は、ネットワーク１０１に接続されており、互いに他装置とデータ通信可能に構成されている。
【００１４】
次に、印刷システム１０００および１００１の構成について、図２のシステムブロック図を用いて説明する。
【００１５】
印刷システム１０００および１００１に含まれる図２に示す各ユニットのうちのシート処理装置２００以外のユニットは、印刷装置１００に含まれる。印刷装置１００には、任意の台数のシート処理装置２００を接続することができる。
【００１６】
印刷システム１０００および１００１は、印刷装置１００で印刷されたシートに対するシート処理を、印刷装置１００に接続されたシート処理装置２００により実行できるように構成されている。ただし、シート処理装置２００を接続せずに印刷装置１００のみで印刷システム１０００を構成することも可能である。
【００１７】
シート処理装置２００は、印刷装置１００と通信可能に構成され、印刷装置１００からの指示を受け、後述するようなシート処理を実行することができる。スキャナ部２０１は、原稿上の画像を読み取り、これを画像データに変換し、他のユニットに転送する。外部Ｉ／Ｆ２０２は、ネットワーク１０１に接続された他の装置との間でデータの送受信を行う。プリンタ部２０３は、入力された画像データに基づく画像をシート上に印刷する。操作部２０４は、図６にて後述するハードキー入力部（キー入力部）４０２や、タッチパネル部４０１を有し、それらを介してユーザからの指示を受付ける。また、操作部２０４は、操作部２０４が有するタッチパネルに各種表示を行う。
【００１８】
制御部２０５は、印刷システム１０００および１００１が有する各種ユニットの処理や動作等を統括的に制御する。即ち、印刷装置１００及び印刷装置１００に接続されたシート処理装置２００の動作も制御する。ＲＯＭ２０７は、制御部２０５によって実行される各種コンピュータプログラムを記憶する。
【００１９】
例えば、ＲＯＭ２０７は、後述するフローチャートの各種処理を制御部２０５に実行させるためのプログラムや、後述する各種設定画面を表示するために必要な表示制御プログラムを記憶する。また、ＲＯＭ２０７は、ＰＣ１０３やＰＣ１０４等から受信したＰＤＬ（ページ記述言語）コードデータを、制御部２０５が解釈し、ラスタイメージデータに展開する動作を実行するためのプログラムを記憶する。他にも、ＲＯＭ２０７は、ブートシーケンスやフォント情報等を記憶する。
【００２０】
ＲＡＭ２０８は、スキャナ部２０１や外部Ｉ／Ｆ２０２から送られてきた画像データや、ＲＯＭ２０７からロードされた各種プログラム、設定情報を記憶する。また、ＲＡＭ２０８は、シート処理装置２００に関する情報（印刷装置１００に接続されたシート処理装置２００の台数（０からｎ台）と、各シート処理装置２００の機能に関する情報、また、各シート処理装置２００の接続順序等）を記憶する。
【００２１】
ＨＤＤ（ハードディスクドライブ）２０９は、ハードディスクとハードディスクへのデータの読み書きを行う駆動部等で構成される。ＨＤＤ２０９は、スキャナ部２０１や外部Ｉ／Ｆ２０２から入力され、圧縮伸張部２１０によって圧縮された画像データを記憶するための大容量の記憶装置である。
【００２２】
制御部２０５は、ユーザからの指示に基づいて、ＨＤＤ２０９に格納された画像データをプリンタ部２０３によって印刷することができる。また、制御部２０５は、ユーザからの指示に基づいて、ＨＤＤ２０９に格納された画像データを、外部Ｉ／Ｆ２０２を介してＰＣ１０３、印刷システム１０００および１００１等の外部装置へ送信することもできる。また、制御部２０５は、同様に、外部Ｉ／Ｆ２０２を介してＰＣ１０３、印刷システム１０００および１００１等の外部装置から、画像データを獲得することもできる。また、制御部２０５は、外部Ｉ／Ｆ２０２を介して、ネットワーク１０１に接続された外部装置を探索することもできる。
【００２３】
圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２４】
次に、印刷システム１０００の構成について図３を用いて説明する。図３は、印刷装置１００と印刷装置１００に接続されたシート処理装置２００の断面図である。
【００２５】
自動原稿搬送装置（ＡＤＦ）３０１は、原稿トレイの積載面にセットされた原稿束を１頁目の原稿から、ページ順に、順番に分離して、スキャナ３０２によって原稿走査するために原稿台ガラス上へ搬送する。スキャナ３０２は、原稿台ガラス上に搬送された原稿の画像を読み取り、ＣＣＤによって画像データに変換する。回転多面鏡（ポリゴンミラー等）３０３は、画像データに応じて変調された、例えばレーザ光などの光線を入射させ、反射ミラーを介して反射走査光として感光ドラム３０４に照射する。
【００２６】
感光ドラム３０４上にレーザ光によって形成された潜像はトナーによって現像され、転写ドラム３０５上に貼り付けられたシート材に対してトナー像が転写される。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。
【００２７】
定着器３０８は、ローラやベルトの組合せによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排紙ローラ３１０によって機外へ排出される。制御部２０５は、以上のような一連のシーケンスによって、片面印刷を実行するように印刷装置１００を制御する。
【００２８】
一方、シート材の両面に画像を形成する場合には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３および両面トレイ３１４を備える。反転フラッパ３１１は、揺動軸を中心に揺動し、シート材の搬送方向を規定する。
【００２９】
制御部２０５は、両面印刷ジョブを処理する場合、プリンタ部２０３でシートの第１面にプリント済みのシートを、反転フラッパ３１１を図中反時計回りの方向に揺動し、反転ローラ３１２を介して、反転ガイド３１３へと送り込むよう制御する。そして、シート材後端が反転ローラ３１２に狭持された状態で反転ローラ３１２を一旦停止させ、引き続き反転フラッパ３１１が図中時計回りの方向に揺動させる。且つ、反転ローラ３１２を逆方向に回転させる。これにより、シートスイッチバックして搬送させ、シートの後端と先端が入れ替わった状態で、このシートを両面トレイ３１４へと導くよう制御する。
【００３０】
両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、前述したプロセスと同様にしてシートの第２面に対して２面目の画像を形成させる。そして、シート材の両面に画像が形成され、定着工程を経て排紙ローラ３１０を介して印刷装置１００本体内部から機外へとシートを排出させる。制御部２０５は、以上のような一連のシーケンスによって、両面印刷を実行するように印刷装置１００を制御する。
【００３１】
また、印刷装置１００は、印刷処理に要するシートを収納する給紙部を有する。給紙部には、給紙カセット３１７、３１８（例えば、それぞれ５００枚のシートを収容可能）、給紙デッキ３１９（例えば、５０００枚のシートを収納可能）、手差しトレイ３２０等がある。給紙カセット３１７、３１８、給紙デッキ３１９は、サイズや材質の異なる各種シートを、給紙部ごとに区別してセットできる。また、手差しトレイ３２０には、ＯＨＰシート等の特殊なシートを含む各種シートをセットすることができる。給紙カセット３１７、３１８、給紙デッキ３１９、手差しトレイ３２０には、それぞれに給紙ローラが設けられており、給紙ローラによってシートは１枚単位で連続的に給送される。
【００３２】
次に、図３に示すシート処理装置２００ついて説明する。
【００３３】
本実施形態の印刷システム１０００におけるシート処理装置２００は、上流の装置から下流の装置にシート搬送路を介してシートを搬送できるのであれば、任意の種類の装置を任意の台数だけ連結することができる。例えば、図３に示すように、印刷装置１００に近い順に、大容量スタッカ２００−３ａ、インサータ２００−３ｄ、糊付け製本機２００−３ｂ、中綴じ製本機２００−３ｃの順序で連結し、これらを印刷システム１０００にてそれぞれ選択的に利用することができる。また、シート処理装置２００のそれぞれがシート排出部を備え、ユーザは、シート処理がなされたシートを、それぞれのシート処理装置のシート排出部から取出すことができる。
【００３４】
制御部２０５は、印刷装置１００に接続されたシート処理装置２００にて実行可能な種類のシート処理の候補から、ユーザが所望する種類のシート処理の実行要求を、操作部２０４を介して印刷実行要求と共に受付ける。そして、操作部２０４を介して処理対象となるジョブの印刷実行要求をユーザから受付けたことに応じて、制御部２０５は、そのジョブにて要する印刷処理をプリンタ部２０３で実行させる。そして、制御部２０５は、この印刷処理がなされたジョブのシートを、ユーザが所望するシート処理を実行可能なシート処理装置までシート搬送路を介して搬送させ、そのシート処理装置でシート処理を実行させる。
【００３５】
例えば、印刷システム１０００が図３に示すシステム構成の場合に、ユーザから印刷実行要求を受付けた処理対象のジョブが、大容量スタッカ２００−３ａによる大量積載処理を行うように指示されたジョブであるとする。このジョブを「スタッカジョブ」と呼ぶ。
【００３６】
このスタッカジョブを、図３のシステム構成にて処理する場合、制御部２０５は、印刷装置１００で印刷されたこのジョブのシートを、図３のＡ点を通過させて、大容量スタッカ２００−３ａ内部へ搬送させる。その後、制御部２０５は、このジョブの積載処理を大容量スタッカ２００−３ａで実行させる。そして、制御部２０５は、大容量スタッカ２００−３ａで積載処理がなされたこのジョブの印刷物を、他の装置（例えば後段の装置）へ搬送せずに、大容量スタッカ２００−３ａ内部の排紙先Ｘに保持させる。
【００３７】
ユーザは、この図３の排紙先Ｘにホールドされたスタッカジョブの印刷物を、排紙先Ｘの個所から直接取出すことができる。それにより、図３のシート搬送方向、最下流の排紙先Ｚまでシートを搬送して、排紙先Ｚからスタッカジョブの印刷物を取出すといった、一連の装置の動作やユーザの操作が不要になる。
【００３８】
また、図３のシステム構成にてユーザから印刷実行要求を受付けた処理対象のジョブが、糊付け製本機２００−３ｂによるシート処理（例えば、くるみ製本処理、または、天糊製本処理の何れかの糊付け製本処理）を行うように指示されたジョブであるとする。このジョブを「糊付け製本ジョブ」と呼ぶ。
【００３９】
この糊付け製本ジョブを、図３のシステム構成にて処理する場合、制御部２０５は、印刷装置１００で印刷されたシートを、図３のＡ点、Ａ'点及びＢ点を介して糊付け製本機２００−３ｂ内部へ搬送させる。その後、制御部２０５は、このジョブの糊付け製本処理を糊付け製本機２００−３ｂで実行させる。そして、制御部２０５は、糊付け製本機２００−３ｂで糊付け製本処理がなされたこのジョブの印刷物を、他の装置（例えば後段の装置）へ搬送させずに、そのまま、糊付け製本機２００−３ｂ内部の排紙先Ｙに保持させる。
【００４０】
更に、例えば、図３のシステム構成にてユーザから印刷実行要求を受付けた処理対象のジョブが、中綴じ製本機２００−３ｃによるシート処理を行うように指示されたジョブであるとする。中綴じ製本機２００−３ｃによるシート処理には、例えば、中綴じ製本、パンチ処理、断裁処理、シフト排紙処理、折り処理等がある。ここでは、このジョブを「中綴じ製本ジョブ」と呼ぶ。
【００４１】
この中綴じ製本ジョブを、図３のシステム構成にて処理する場合、制御部２０５は、印刷装置１００で印刷されたこのジョブのシートを、Ａ点、Ａ’点及びＢ点及びＣ点を通過させて中綴じ製本機２００−３ｃに搬送させる。その後、制御部２０５は、このジョブのシート処理を中綴じ製本機２００−３ｃで実行させる。そして、制御部２０５は、この中綴じ製本機２００−３ｃによるシート処理がなされた中綴じ製本ジョブの印刷物を、中綴じ製本装置２００−３ｃの排紙先Ｚに保持させる。
【００４２】
尚、排紙先Ｚには複数の排紙先候補がある。これは、中綴じ製本機２００−３ｃが複数種類のシート処理を実行することができ、シート処理ごとに排紙先をわける際に用いられるものである。
【００４３】
更に、例えば、システム構成にてユーザから印刷実行要求を受付けた処理対象のジョブが、インサータ２００−３ｄによるシート処理を行うように指示されたジョブであるとする。このジョブを「インサータ給紙ジョブ」と呼ぶ。このインサータ給紙ジョブは、下流に接続されたシート処理装置を更に使用することができる。
【００４４】
このインサータ給紙ジョブを、図３のシステム構成にて処理する場合を考える。この時、制御部２０５は、印刷装置１００で印刷されたこのジョブのシートに、インサータ２００−３ｄより給紙したシートを挿入した上で、指定されたシート処理に従い、当該シート処理装置まで搬送する。そして、シート処理を行う。図３では、インサータ２００−３ｄの下流に、糊付け製本機２００−３ｂ、中綴じ製本機２００−３ｃ、が接続されたシステムとしているので、先に述べた糊付け製本ジョブ、中綴じ製本ジョブとして、処理することができる。また、インサータ給紙ジョブは、印刷装置１００での印刷を必須としない。つまり、インサータ２００−３ｄから給紙したシートのみを下流へ搬送し、指定されたシート処理装置を用いて、シート処理を行うことができる。
【００４５】
図１〜図３で説明したように、本実施形態の印刷システム１０００は、印刷装置１００に対して、複数台のシート処理装置を接続することができる。そして、これら複数台のシート処理装置は、任意の組合せで、印刷装置１００に対して接続できる。また、これら複数台のシート処理装置の接続順序も、装置同士のシート搬送路がつながる範囲内において自由に変更することができる。また、印刷装置１００に接続可能なシート処理装置の候補も複数種類存在する。
【００４６】
次に、印刷装置１００に対して接続可能なシート処理装置２００の内部構成を、図４から図５、および図８を用いて種類別に説明する。
【００４７】
次に、図４に示す断面図を用いて、糊付け製本機の内部構成について説明する。
【００４８】
糊付け製本機は、上流の装置から搬送されたシートを３つの搬送パスに選択的に搬送する。１つは表紙パスであり、１つは本身パスであり、１つはストレートパスである。また、糊付け製本機はインサータパスを有する。インサータパスは、インサータトレイに置かれたシートを、表紙パスに搬送するためのシート搬送路である。
【００４９】
図４に示す糊付け製本機のストレートパスは、この糊付け製本機による糊付け製本処理を要さないジョブのシートを後段の装置へ搬送するためのシート搬送路である。
【００５０】
また、図４に示す糊付け製本機の本身パスと表紙パスは、くるみ製本印刷物を作成するために必要なシートを搬送するためのシート搬送路である。
【００５１】
例えば、この糊付け製本機を用いてくるみ製本印刷物を作成する場合、制御部２０５は、くるみ製本印刷物の本文用のシートに印刷されるべき本文用の画像データをプリンタ部２０３により印刷させる。１冊分のくるみ製本印刷物を作成する際には、この本文用のシートの１冊分のシート束が１枚の表紙でくるまれる。くるみ製本における、この本文用のシート束を「本身」と呼ぶ。
【００５２】
制御部２０５は、本身となる、印刷装置１００で印刷されたシートを、図４に示す本身パスへ搬送するように制御する。そして、制御部２０５は、くるみ製本処理を行う場合、印刷装置１００にて印刷された本身を、表紙パスを介して搬送された表紙用のシートでくるむ処理を実行する。
【００５３】
例えば、制御部２０５は、上流側の装置から搬送された本身となるシートを順次、図４の本身パスを介してスタック部でスタックさせる。本文データが印刷されたシートがスタック部に１冊に相当する枚数分スタックされると、制御部２０５は、表紙パスを介して、そのジョブにて要する表紙用の１枚のシートを搬送させる。制御部２０５は、この本身に相当する１セット分のシート束の背表紙部分に糊付け処理を行うように図４の糊付け部を制御する。
【００５４】
その後、この本身の背表紙部分と表紙の中央部とを糊付け部で接合させるように制御部２０５は制御する。表紙に本身を接合する際には、本身が装置下方に対して押し込まれるように搬送される。これにより、本身が１枚の表紙でくるまれるように表紙の折り畳み処理がなされる。その後、この１セット分のシート束は、ガイドに添って図４の回転台の上に積載される。
【００５５】
この１セット分のシート束が図４の回転台にセットされた後に、制御部２０５は、このシート束の断裁処理を図４のカッタ部で実行させる。この際、この１セット分のシート束における背表紙部分に該当する端部以外の３つの端部を断裁する三方断裁処理をカッタ部で実行することができる。
【００５６】
その後、制御部２０５は、この三方断裁処理済みのシート束を、幅寄せ部を用いてバスケットの方向に押し出し、バスケットに収納させる。
【００５７】
また、この糊付け製本機は、上流装置から搬送されたシートを処理するだけではなく、単体でくるみ製本処理、もしくは天糊製本処理を行うことができる。例えば、この糊付け製本機を単体で用いて、くるみ製本印刷物を作成する場合を説明する。
【００５８】
まずオペレータは、処理するシートを図４に示すインサータトレイにセットする。そして、制御部２０５は、同じく図４に示すインサータを用いて、インサータトレイにセットされたシートを給紙し、まず本身とする。次に制御部２０５は、この本身となるシートを、図４に示す本身パスへ搬送するように制御する。そして、制御部２０５は、次に同じくインサータトレイから給紙した、表紙用のシートを、表紙パスを介して搬送し、本身シートをくるむ処理を実行する。以下の処理は、前述と同様である。
【００５９】
次に、図５に示す断面図を用いて、中綴じ製本機の内部構成について説明する。
【００６０】
中綴じ製本機は、印刷装置１００からのシートに対してステイプル処理、断裁処理、パンチ処理、Ｚ折り処理、シフト排紙処理、中綴じ製本処理等を選択的に実行する各種ユニットを備える。また、この中綴じ製本機は、後段の装置へのシート搬送機能の役目を果たすストレートパスを持たない。このため、印刷装置１００に複数台のシート処理装置を接続する場合には、図３に示すように、この中綴じ製本機は最後尾に接続される。
【００６１】
また、中綴じ製本機は、図５に示すように、装置外部にサンプルトレイ、スタックトレイを有し、装置内部にブックレットトレイを有す。
【００６２】
制御部２０５は、この中綴じ製本機にてステイプルするように指示を受けた場合、印刷装置１００で印刷されたシートを、中綴じ製本機内部の処理トレイに順次スタックさせる。一束分のシートが処理トレイにスタックされたら、制御部２０５は、ステープラにてステイプルを行わせる。その後、制御部２０５は、このステイプルされたシート束を、この処理トレイから図４のスタックトレイへ排出させる。
【００６３】
また、制御部２０５は、中綴じ製本機にてＺ折りを行うように指示を受けたジョブを実行する場合、印刷装置１００で印刷されたシートに対してＺ折り部により、Ｚ字状に折り処理を実行する。そして、制御部２０５は、折り処理されたシートを、中綴じ製本機内を通過させて、スタックトレイ及びサンプルトレイ等の排出トレイに排紙するよう制御する。
【００６４】
また、制御部２０５は、中綴じ製本機にてパンチ処理設定を行うように指示を受けた場合、印刷装置１００で印刷されたシートに対してパンチャによるパンチ処理を実行する。そして、制御部２０５は、中綴じ製本機内を通過させて、スタックトレイ及びサンプルトレイ等の排出トレイに排紙するよう制御する。
【００６５】
また、制御部２０５は、中綴じ製本機にて中綴じ製本処理を行うように指示を受けたジョブを実行する場合、サドルステッチャ部によって、１セット分の複数枚のシートからなるシート束の中央部分に二箇所綴じを行わせる。その後、制御部２０５は、このシート束の中央部分をローラに噛ませることにより、シートの中央部分を基準とした二つ折りを行わせる。これにより、パンフレットのようなブックレットを作成できる。このように、サドルステッチャ部で中綴じ製本処理が施されたシート束は、ブックレットトレイに搬送される。
【００６６】
また、中綴じ製本処理を行うように指示を受けたジョブに対して、断裁処理を行うように指示を受付けた場合には、制御部２０５は、中綴じ製本されたシート束をブックレットトレイからトリマへ搬送させる。その後、制御部２０５は、トリマに搬送されたシート束をカッタ部によって断裁させ、このシート束をブックレットホールド部に保持させる。この図５の中綴じ製本機でも、中綴じ製本されたシート束の三方断裁が実行できるように構成されている。
【００６７】
尚、中綴じ製本機がトリマを持たない場合には、サドルステッチャ部で製本されたシート束は、ブックレットトレイから取り出すことができる。
【００６８】
また、中綴じ製本機は、図５のインサートトレイにセットされたシート（例えば予め印刷済みのカバーシート）を印刷装置１００から搬送される（印刷装置１００で印刷された）シートに添付することもできるように構成されている。
【００６９】
更に、この中綴じ製本機は、上流装置から搬送されたシートを処理するだけではなく、単体でステイプル処理、断裁処理、パンチ処理、Ｚ折り処理、シフト排紙処理、中綴じ製本処理等を行うことができる。ただし、図５を参照すると、本中綴じ製本機は、インサータを用いて給紙したシートを、Ｚ折り部へ搬送するパスを持たない構成とした。そのため、Ｚ折り処理を本中綴じ製本機単体では実現できない。しかし、本中綴じ製本機は、上流より搬送されたシートを、図５のＺ折り部へ搬送することが可能な構成となっている。そのため、上流に接続されたシート処理機に設けられたインサータ等を用いてシートを給紙し、図５のＺ折り部にてシート処理を実行することができる。そのため、印刷装置１００を用いずに、シート処理のみを実行することができる構成となっている。
【００７０】
次に、図８に示す断面図を用いて、シート処理装置２００に適用可能な大容量インサータ２００−３ｄの内部構成について説明する。大容量インサータは、上流の装置から搬送されたシートをストレートパスを通して下流へ搬送すると共に、各給紙段にセットされているシートを、各給紙モータを用いて給紙し、ストレートパスを通して下流へ搬送する。
【００７１】
エスケープパスは、エスケープトレイにシートを排出するためのシート搬送路である。これらは、給紙時に重送を検知した場合に、エスケープトレイへ重送したシートを搬送するための、シート搬送経路である。
【００７２】
尚、この大容量インサータ内部のシート搬送路にはシートの搬送状況やジャムを検知するために要する複数のシート検知センサが設けられている。
【００７３】
また、この大容量インサータは不図示のＣＰＵを備え、これら各センサからのシート検知情報を、データ通信を行うための信号線を介して制御部２０５に通知する。制御部２０５は、この大容量インサータから通知された情報に基づき、大容量インサータ内部のシートの搬送状況やジャムを把握する。尚、大容量インサータと印刷装置１００の間に他のシート処理装置が接続されている場合、そのシート処理装置が備える不図示のＣＰＵが、この大容量インサータのセンサの情報を制御部２０５に通知する。
【００７４】
次に、図６を用いて、操作部２０４の構成を説明する。
【００７５】
操作部２０４は、タッチパネル部４０１と、キー入力部４０２とを備える。タッチパネル部４０１は、ＬＣＤ（Ｌｉｑｕｉｄ  Ｃｒｙｓｔａｌ  Ｄｉｓｐｌａｙ：液晶表示部）とその上に貼られた透明電極からなり、ユーザから指示を受付けるための各種設定画面を表示する。このタッチパネル部４０１は、各種画面を表示する機能とユーザからの指示を受付ける指示入力機能を兼ね備える。キー入力部４０２は、電源キー５０１、スタートキー５０３、ストップキー５０２、ユーザモードキー５０５、テンキー５０６を備える。スタートキー５０３は、コピージョブや、送信ジョブの実行を印刷装置１００に開始させる場合に用いられる。テンキー５０６は、印刷部数等の数値入力の設定を行う場合に用いられる。
【００７６】
制御部２０５は、このタッチパネル部４０１に表示される各種画面を介して受付けたユーザ指示やキー入力部４０２を介して受付けたユーザ指示に基いた各種処理を行うように印刷システム１０００を制御する。
【００７７】
図７は、印刷装置１００により印刷されたシートに対して実行すべきシート処理の種類をユーザに選択させるための設定画面の表示例を示す図である。制御部２０５は、タッチパネル部４０１に表示される画面上の図６に示すシート処理設定のキー６０９がユーザにより押されると、この図７の画面をタッチパネル部４０１に表示させる。この図７の画面は、印刷システム１０００に含まれるシート処理装置２００を用いて実行可能なシート処理の種類をユーザが選択できるように構成された設定画面である。制御部２０５は、この図７の画面を介して、処理対象となるジョブにて実行すべきシート処理の設定をユーザから受付け、その設定に従ったシート処理をシート処理装置２００で実行させる。
【００７８】
尚、印刷装置１００にシート処理装置２００が接続されるケースにて、どのような種類のシート処理装置をどのような接続順序で何台接続するのか等を特定するための情報を、オペレータが登録できるように構成としてもよい。
【００７９】
例えば、印刷システム１０００を図３に示すようなシステム構成にする場合を考える。この時、大容量スタッカ、インサータ、糊付け製本機、中綴じ製本機の４台のシート処理装置を大容量スタッカから順番に印刷装置１００に接続する旨を示す登録情報を設定する。制御部２０５は、オペレータにより設定されたシート処理装置２００に係る情報をシステム構成情報としてＲＡＭ２０８に保持させ、適宜読み出して参照する。これにより、制御部２０５は、印刷装置１００に対してどのようなシート処理装置をどのような接続順序で何台接続するのか等を確認する。
【００８０】
尚、ストレートパスを持たない中綴じ製本機を複数台のシート処理装置の途中に接続するような設定がユーザにより行われたとする。この場合、制御部２０５は、その設定を無効とする旨を通知するためのエラー表示をタッチパネル部４０１に行わせる。また、制御部２０５は、このような設定を行うこと無しに中綴じ製本機は最後尾に接続するようにオペレータに通知するガイダンス情報を表示させる。
【００８１】
本実施形態では、印刷システム１０００に適用されるユーザインタフェース部の１例として印刷装置１００に具備される操作部２０４を例示しているが、これ以外でも良い。例えば、ＰＣ１０３やＰＣ１０４等の外部装置に具備されるユーザインタフェース部からの指示に基づいた処理を印刷システム１０００で実行できるように構成されても良い。このように、外部装置から印刷システム１０００を遠隔操作する場合、その装置の表示部に印刷システム１０００に関する設定画面を表示させる。
【００８２】
例として、ＰＣ１０４を用いて説明する。ＰＣ１０４が備えるＣＰＵは、ユーザから印刷要求を受付けた場合に、ディスプレイに設定画面を表示させ、この画面を介して印刷処理条件の設定をＰＣ１０４のオペレータから受付ける。そして、オペレータからの印刷実行要求を受付けた場合、ＰＣ１０４が備えるＣＰＵは、この画面を介して受付けた印刷処理条件と印刷されるべき画像データとを関連付ける。そして、１つのジョブとして印刷システム１０００に対してネットワーク１０１経由で送信するよう制御する。
【００８３】
一方、印刷システム１０００にて、制御部２０５は、このジョブの印刷実行要求を外部Ｉ／Ｆ２０２を介して受付けると、このＰＣ１０４からのジョブをこのＰＣ１０４からの印刷処理条件に基づいて処理するように印刷システム１０００を制御する。
【００８４】
このように、印刷システム１０００のユーザインタフェースとして種々のユニットが提供できる。
【００８５】
次に、本実施形態の制御部の一例に該当する制御部２０５が印刷システム１０００のために実行する各種制御に関して、以下に説明する。
【００８６】
尚、印刷システム１０００は、複数のジョブのデータを記憶可能なＨＤＤ２０９のデータの印刷処理を実行可能なプリンタ部２０３を有する印刷装置１００を具備する。また、印刷システム１０００は、印刷装置１００と複数台のシート処理装置２００が接続できるように構成されている。また、印刷装置１００に接続可能なこれら複数台のシート処理装置２００はそれぞれ、プリンタ部２０３で印刷がなされたジョブのシート（印刷物又は印刷媒体とも呼ぶ）に対するシート処理（フィニッシング又は後処理とも呼ぶ）を実行可能に構成されている。
【００８７】
また、これらのシート処理装置２００は、各装置毎に、自装置でシート処理を施した印刷物をオペレータが取出すことができるように構成されている。また、これらのシート処理装置２００のひとつである、インサータ２００−３ｄから、複数台のシート処理装置２００に対して、インサータ２００−３ｄの給紙デッキに設定されたシートを、選択的に供給できるように構成されている。また、本実施形態の印刷システム１０００は、プリンタ部２０３からこれら複数台のシート処理装置２００に対して、プリンタ部２０３により印刷がなされたジョブのシートを、選択的に供給できるように構成されている。
【００８８】
また、この印刷システム１０００は、印刷装置１００を使用せず、シート処理装置２００のみを用いてジョブを処理する機能を有している。制御部２０５は、このシート処理装置２００のみを用いた処理と、印刷装置１００も用いた処理を、処理対象となる各ジョブ毎に、ユーザインタフェース部（ＵＩ部）からのオペレータ指示に基いて選択的に実行できるように印刷システム１０００を制御する。また、制御部２０５は、これら２つの処理を場合によっては複合させて実行できるように、印刷システム１０００を制御することもできる。
【００８９】
そして、本実施形態の印刷システム１０００は、印刷手段に接続された後処理手段による後処理を該印刷手段による印刷を伴わずに利用できるようにした柔軟性及び／又は利便性に富んだ仕組みを具備している。
【００９０】
例えば、この仕組みに関し、本実施形態にて印刷システム１０００は、印刷手段による印刷は行わずに該印刷手段に接続された後処理手段による後処理を行う特定種類のジョブの実行要求を受け付けるための実行要求受付手段を備える。
【００９１】
尚、本実施形態では、プリンタ部２０３及び／又は印刷装置１００が印刷手段として機能し、この印刷装置１００に接続されるシート処理装置２００（例えば図４〜図６の少なくとも何れかのフィニッシャ）が後処理手段として機能する構成を例示する。
【００９２】
そして、本実施形態では、この特定種類のジョブとして、前述のような、プリンタ部２０３による印刷を要さずにシート処理装置２００によるシート処理（以下、後処理）を要するジョブを例示する。例えば、印刷装置１００による印刷を伴わずにシート処理装置２００による後処理を実行するジョブは、この特定種類のジョブに該当する。
【００９３】
このように、本実施形態では、印刷装置１００による印刷処理とは独立に（非同期／非連動で）シート処理装置２００による後処理の実行を要するジョブを、特定種類のジョブとして取り扱う。そして、このような特定種類のジョブを印刷システム１０００により処理可能に制御部２０５により制御する。
【００９４】
尚、本実施形態にてこの特定種類のジョブにて実行を許可する後処理は、以下である。
（１）ステイプル処理
（２）パンチ処理
（３）断裁処理
（４）中綴じ製本処理
（５）折り処理
（６）くるみ製本処理
（７）天糊製本処理
（８）インサート処理
本実施形態では、このうち（１）〜（５）の後処理は図５の中綴じ製本機（図３のシート処理装置２００−３ｃに相当）により選択的に実行できるように構成している。また、（６）と（７）の後処理は図４の糊付け製本機（図３のシート処理装置２００−３ｂに相当）により選択的に実行できるように構成している。また、（８）の後処理は図８の大容量インサータ（図３のシート処理装置２００−３ｄに相当）により実行できるように構成している。
【００９５】
また、本実施形態では、印刷装置１００による印刷を伴わずに実行を許可する後処理として複数の選択候補をユーザインタフェースにて表示するよう制御部２０５により制御する。この具体例として後述する図１３を用いた説明に対応する構成を具備している。
【００９６】
以上の点に関し、これらは例示的なものであり、印刷を伴わずに実行できる後処理として如何なる種類の後処理を採用しても良い。また、本実施形態のように、これら複数種類の後処理を選択的に実行できるように構成していないものでも良く、これに限定されない。例えば、印刷を行わずに実行できる後処理の種類が１種類しかない構成のものでも、本発明に包含される。
【００９７】
また、本実施形態では、印刷システム１０００により提供されるユーザインタフェースであって、オペレータの操作に対してインタラクティブに応答可能に構成された各種のユーザインタフェースが、前述の実行要求受付手段として機能する。例えば、操作部２０４及び／又は該操作部２０４に具備されるソフトキーやハードキー及び／又は図に示す各種のユーザインタフェース画面などは、この１例である。尚、これは例示的なものでありこれに限定されるものでもない。
【００９８】
例えば、印刷システム１０００とは異なる外部の装置からも前述の特定種類のジョブの実行要求を受け付けるように構成しても良い。この場合、例えば、ネットワークスキャナ１０２やＰＣ１０３やＰＣ１０４等の外部のデータ発生源に具備されるユーザインタフェースがこの実行要求受付手段として機能する。また、この場合、このような特定種類のジョブを印刷システム１０００が外部から受け付けるために必要な外部Ｉ／Ｆ２０２などのユニットも、この手段として機能する。このように、本実施形態は各種の変形応用が可能であって、本実施形態の印刷システム１０００のように以下に例示する構成に相当する構成を少なくとも有するものは如何なるものも適用可能である。
【００９９】
例えば、前述の特定種類のジョブの実行要求を前述のユーザインタフェースを介して制御部２０５が受け付けたとする。この場合、この実行要求に応答し制御部２０５は、印刷装置１００による印刷は行わずにその特定種類のジョブのために前もって作成された印刷物（第１の印刷物）に対する後処理をシート処理装置２００によって実行させるよう制御する。
【０１００】
このように、印刷システム１０００は、次の手段を有する。前述の特定種類のジョブの実行要求を受け付けた場合に印刷手段による印刷は行わずにそのジョブのために前もって作成された第１の印刷物に対する後処理を前述の後処理手段により実行させるための第１の制御手段を有する。本実施形態では、この第１の制御手段として制御部２０５が機能する構成を例示している。
【０１０１】
尚、本実施形態では、この第１の印刷物として予め印刷が施された複数の印刷媒体（印刷物）を供給できるように構成された所定の供給手段をシート処理装置２００自身が具備している。シート処理装置２００として例示した図４に示す大容量スタッカ及び図５の中綴じ製本機ならびに図８の大容量インサータには、それぞれ図のようにインサータ、給紙デッキ１〜３などが備えられる。本実施形態では、これらのユニットが、冒頭で説明した機能を果たすだけでなく、この所定の供給手段としても機能する。そして、この所定の給紙手段に対して前述の特定種類のジョブにて必要な第１の印刷物がオペレータによりセットされる。
【０１０２】
そして、本実施形態では、この特定種類のジョブの実行要求をオペレータから指示された場合、制御部２０５は、この第１の印刷物を該供給手段からシート処理装置２００内部の後処理部へ前述の印刷手段を介すこと無しに供給するよう制御する。その後、制御部２０５は、該第１の印刷物に対する後処理をその後処理部によって実行させる。このような方法で、制御部２０５は、印刷装置１００による印刷を伴うこと無しに該ジョブのためにユーザが指示した後処理を当該シート処理装置２００によって実行可能にする。
【０１０３】
尚、前述の特定種類のジョブを実行する場合、該ジョブで利用する前述の第１の印刷物を印刷装置１００に具備される所定の供給手段としての給紙カセットから供給する構成でも良い。この場合、印刷装置１００内部の搬送路を経由して該第１の印刷物がシート処理装置２００内部へ導入されるが、この際、印刷装置１００にて該第１の印刷物に対する印刷は行わないように制御部２０５により制御する。そして、この印刷物が前述のシート処理装置２００に導入されたら、該印刷物に対してユーザが指示した後処理を施すように制御部２０５により制御する。このような構成でも良い。
【０１０４】
また、本実施形態の印刷システム１０００は、前述のように特定種類のジョブにおいて印刷装置１００による印刷を伴わずにシート処理装置２００による後処理を実行できるよう制御部２０５により制御する構成に加え、以下の構成も具備する。
【０１０５】
例えば、本実施形態の印刷システム１０００は、前述の第１の印刷物を作成するために利用した印刷データを受け付ける（所得する）ための印刷データ受付手段（印刷データ取得手段）を具備する。
【０１０６】
本実施形態では、操作部２０４や後述する所定の操作画面などのユーザインタフェースが、この手段として機能する。具体的には、この本実施形態にて提供するユーザインタフェースは、この印刷データの取得元（獲得先）をユーザが指定できるように構成されている。
【０１０７】
また、後述する具体例では、この第１の印刷物を作成するのに利用した印刷データを印刷装置１００とは異なる外部の装置から取得できるように構成されており、その際、外部Ｉ／Ｆ部２０２を介して当該印刷データを取得する。このように、本実施形態では外部Ｉ／Ｆ部２０２も当該手段として機能する。
【０１０８】
そして、本実施形態の印刷システム１０００は、この印刷データ受付手段によって受け付けた（取得した）当該印刷データを用いて前述の第１の印刷物と体裁が同じ又は異なる第２の印刷物を前述の印刷手段によってあらためて作成させるための第２の制御手段を有する。この第２の制御手段として本実施形態では前述の制御部２０５が機能する構成を例示している。
【０１０９】
例えば、制御部２０５は、前述の第１の印刷物に相当する印刷媒体に対して印刷された印刷データと同じ印刷データを用いた印刷処理を第２の印刷物に相当する印刷媒体に対して行うようプリンタ部２０３を制御する。このような方法で、制御部２０５は、当該第２の印刷物を印刷装置１００により作成させる。
【０１１０】
尚、本実施形態にて制御部２０５は、第１の印刷物を作成する際の印刷条件と全て同じ処理条件で、前述の印刷データを前述の第２の印刷物に相当する印刷媒体に印刷するよう印刷装置１００を制御する。これにより、第２の印刷物として、前述の第１の印刷物と体裁が同じ印刷物を印刷装置１００にて作成できる。ここで述べる印刷条件とは、以下に示す処理条件などであるが、これらはあくまでも例示的なものであってこれに限定されるものでもない。
（１）第２の印刷物を作成するために利用する印刷媒体のサイズ及び／又はその種類に関する処理条件。
（２）この印刷媒体に対して前述の印刷データを印刷する際の印刷倍率（変倍率）に関する処理条件。
（３）この印刷媒体に対して前述の印刷データを印字する際の印字位置及び／又はその向き（印刷方向）に関する処理条件。
（４）この印刷媒体に対して前述の印刷データを印字する際の拡大レイアウトや縮小レイアウトといった印刷レイアウトや、片面印刷／両面印刷に関する処理条件。
【０１１１】
また、本実施形態にて制御部２０５は、第１の印刷物を作成する際の印刷条件から一部の処理条件を変更して前述の印刷データを前述の第２の印刷物に相当する印刷媒体に印刷するよう印刷装置１００を制御する。このような方法で、制御部２０５は、第２の印刷物として、前述の第１の印刷物の体裁が少なくとも一部異なる印刷物を印刷装置１００により作成できるように制御する。
【０１１２】
このように、本実施形態では、第１の印刷物を作成するために利用された印刷データを再利用した印刷処理を印刷装置１００（プリンタ部２０３）により実行させるよう制御部２０５により制御する。そして、この印刷処理によって得られる第２の印刷物として、第１の印刷物と体裁が同じ印刷物を印刷装置１００により作成させることもできるし、第１の印刷物の体裁と少なくとも一部体裁が異なる印刷物を印刷装置１００により作成させることもできる。
【０１１３】
尚、本実施形態の印刷システム１０００のように第１の印刷物と体裁が同一の第２の印刷物を作成する構成と第１の印刷物と体裁が異なる第２の印刷物を作成する構成の両方に対応していなくてもよい。例えば、これらのうちの何れかの構成のみに対応した構成のものでも本発明に包含される。
【０１１４】
また、後述する具体例では、第１の印刷物を作成する際に利用した印刷データを印刷装置１００がネットワーク経由で外部装置から取得する構成を例示している。そして、この外部装置として、印刷装置１００とは異なる他の印刷装置(図１の印刷システム１００１の印刷装置）やコンピュータ１０３や１０４といった情報処理装置のケースを例示している。しかしこの具体例以外の構成でも良く、これに限定されるものでもない。
【０１１５】
例えば、印刷装置１００が無線通信機能を有し、携帯電話などの携帯情報端末から前述の第１の印刷物を作成する際に利用した印刷データを印刷装置１００が取得するよう制御部２０５により制御する構成でも良い。或いは、リムーバブルメディアなどの印刷装置１００に対して着脱可能な所定の記憶媒体をセットする手段およびその記憶媒体に対するデータの書込及び読出を行う手段を印刷装置１００に具備する。そして、この記憶媒体から当該第１の印刷物を作成する際に利用した印刷データを所得してこれを用いて前述の第２の印刷物を印刷装置１００により作成するよう制御部２０５により制御する構成でも良い。
【０１１６】
また、第１の印刷物を作成した装置が印刷装置１００自身の場合などに、その作成の際に利用した印刷データをＨＤＤ２０９に保持しておく。そして、その印刷データをＨＤＤ２０９から取得して、その印刷データを用いて第２の印刷物を印刷装置１００により作成できるよう制御部２０５により制御する。このような構成でも良い。このように種々の構成に対応できるように印刷システム１０００は構成されている。
【０１１７】
以上説明したように、本実施形態の印刷システム１０００によって、印刷手段に接続された後処理手段による後処理を該印刷手段による印刷を伴わずに利用できるようにした柔軟性及び／又は利便性及び／又は生産性に富んだ仕組みが提供できる。特に、例えば、上述のように印刷システム１０００により印刷は要さずフィニッシングのみを要するジョブ（フィニッシング単独ジョブ）に関し、エラーが発生したのでリカバーしたいといったニーズに対して、この印刷システム１０００自身が迅速に対処できる。また、例えば、エラーは起きずに無事に処理が完了したフィニッシング単独ジョブに関して、これと同じ成果物を作成したいといったリフィニッシングなどのニーズに対して、この印刷システム１０００自身が迅速に対処できる。
【０１１８】
このように、単に、フィニッシング単独ジョブをサポートするのみならず、このような特殊なジョブであってもリカバー機能やリフィニッシング機能を実現する仕組みをこの印刷システム１０００自身に具備させることができる。そして、本実施形態にて印刷システム１０００は、この効果を更に向上できるようにした仕組みとして更に以下の構成も具備している。
【０１１９】
例えば、前述の第２の制御手段としても機能する制御部２０５は、第２の印刷物を必要な時に迅速且つ的確に印刷装置１００により作成できるように、前述の第１の印刷物を作成する制御に連動し、前述の印刷データを取得するタイミングも制御している。
【０１２０】
具体的には、本実施形態にて制御部２０５は、前述の第１の印刷物に施す後処理に関るエラーの発生及び／又は前述の第２の印刷物の作成要求の受付を待たずして前述の印刷データを前述の印刷データ受付手段により予め取得させておくよう制御する。そして、これにより制御部２０５は、第１の印刷物に対する後処理の失敗や第２の印刷物の作成要求の発生に備えて事前に、印刷装置１００による前述の第２の印刷物の作成開始を待機させておくよう制御する。
【０１２１】
この構成の具体例として、後述の具体例では、前述の特定種類のジョブで必要な第１の印刷物に対する後処理を実際にシート処理装置２００により開始させる前のタイミングで、前述の印刷データを取得するよう制御部２０５により制御する構成を例示している。
【０１２２】
より具体的には、本実施形態では、次のように制御している。前述の特定種類のジョブの実行要求を前述のユーザインタフェースを介してユーザから受け付けるのに先立って、該ジョブに必要な後処理条件を当該ユーザインタフェースにてユーザにより設定させるよう制御部２０５により制御している。この後処理条件に関する一連の設定を該ユーザインタフェースでユーザが行うタイミングを活用し、この一連の設定における早い段階にて、前述の印刷データの在り処（取得先）の情報をユーザにより該ユーザインタフェースにて入力させる。
【０１２３】
そして、この入手した情報をもとに該印刷データの格納場所を制御部２０５が特定し、そこにアクセスするよう前述の印刷データ受付手段として機能する外部Ｉ／Ｆ部２０２を制御する。このような方法で、本実施形態にて制御部２０５は、該特定種類のジョブの後処理に関する一連の処理条件を該ユーザインタフェースでユーザが設定している期間中に、これと並行して、前述の印刷データを取得する作業を済ませておくように制御している。
【０１２４】
このように、本実施形態の構成によれば、前述の特定種類のジョブを印刷システム１０００で実際に開始する時点では既に第２の印刷物を作成できる準備が印刷装置１００にて整っている状態となるように印刷システム１０００を制御部２０５により制御できる。これにより、例えば、第１の印刷物が後処理の実行中にジャムしたのでやり直したい等の要求や、後処理をした結果をみたユーザがこの印刷物を増刷したい等の要求が実際に生じるよりも早い段階でこれらの要求に対する事前準備を済ませておくことができる。従って、これらの要求が発行された時点には速やかに第２の印刷物を作成させることができる。尚、後述する具体例は例示的なものであって、必ずしもこれに限定されるものでもない。
【０１２５】
また、本実施形態にて印刷システム１０００は、前述の効果を更に向上する仕組みとして更に以下の構成も具備している。
【０１２６】
例えば、本実施形態の印刷システム１０００は、前述の第２の印刷物を印刷装置１００により作成させるためのジョブを前述の特定種類のジョブとして取り扱わずに非特定種類のジョブとして取り扱うようにするための管理手段を更に有する。本実施形態では前述の第１、第２の制御手段として機能する制御部２０５が、この管理手段としても機能する構成を例示する。そして本実施形態では、このように当該ジョブを非特定種類のジョブとして管理することで、以下に示す処理を印刷システム１０００により行うことができるように制御部２０５により制御している。
【０１２７】
例えば、この非特定種類のジョブの情報を、ユーザからの要求に応答して、前述の特定種類のジョブとは区別できるようにした表示形態でもって前述のユーザインタフェースにより表示するように制御部２０５により制御する。
【０１２８】
この情報の具体例としては、前述の印刷データを何処から取得したのかその取得先の情報や、この印刷データを用いて第２の印刷物を印刷装置１００により作成するにあたり如何なる処理条件で作成するのかその処理条件の情報などである。また、この第２の印刷物の作成を要する非特定種類のジョブの印刷装置１００における現在の進捗状況やそのステータスを示す情報も当該情報の具体例である。
【０１２９】
このように、第２の印刷物の作成を要するジョブを特定種類のジョブとして取り扱わずに非特定種類のジョブとして管理することで、前述のような各種の処理が可能となるという効果が得られる。また、その他にも以下の構成にも適用することができる。
【０１３０】
例えば、本実施形態の印刷システム１０００は、あるジョブを印刷している期間中でも、それとは別のジョブの印刷実行要求を拒否せずに随時受付可能にし、この期間中でも新規ジョブの印刷データを随時ＨＤＤ２０９に記憶可能に構成されている。そして、印刷実行要求が行われた対処の複数のジョブを順次連続的に処理できるよう、各ジョブの処理順序を管理する印刷待ち行列にこれらの各ジョブをエントリーする。
【０１３１】
前述のように非特定種類のジョブを管理することで、本実施形態では、この非特定種類のジョブをこの印刷行列の中に他の印刷ジョブと同様にエントリーすることができる。これにより、他の印刷ジョブの処理を邪魔する事無しに適正な順番でもって前述の第２の印刷物の作成を要するジョブを印刷システム１０００にて処理できる。
【０１３２】
このように、本実施形態では、制御部２０５が前述の管理手段として機能することで種々の効果が得られ、前述の効果が更に向上可能となる。
【０１３３】
尚、これらの構成もまた例示的なものでとし、これに限定されるものでもない。また、本実施形態の印刷システム１０００は、前述の効果を更に向上させる仕組みとして以下に示す仕組みを更に有している。
【０１３４】
例えば、上述したように本実施形態にて制御部２０５は、前述の特定種類のジョブを実行する場合、このジョブのために事前に用意された第１の印刷物に対する後処理を、印刷装置１００による印刷を伴わずに、シート処理装置２００により実行するよう制御する。
【０１３５】
一方、この第１の印刷物に予め印刷されている印刷データを再利用する必要がある前述の非特定種類のジョブを実行する場合においては、前述の特定種類のジョブを実行する際の制御とは区別した制御を制御部２０５により実行する。
【０１３６】
例えば、非特定種類のジョブを実行する場合においては、印刷装置１００を機能させ、該印刷装置１００による印刷と連動して（印刷に伴って）シート処理装置２００による後処理を実行できるように制御部２０５により制御する。
【０１３７】
このように、本実施形態にて制御部２０５は、特定種類のジョブを実行する場合は印刷装置１００による印刷を伴ってシート処理装置２００により後処理を行うことを禁止する。この一方で制御部２０５は、非特定種類のジョブを実行する場合には印刷装置１００による印刷を伴ってシート処理装置２００により後処理を行うことを許可する。
【０１３８】
このように、非特定種類のジョブを実行する場合、即ち、第２の印刷物を作成する場合は、印刷装置１００による印刷とシート処理装置２００による後処理をシーケンシャルに実行できるよう制御部２０５により制御する。
【０１３９】
このような構成により、本実施形態にて制御部２０５は、該第２の印刷物を作成するための印刷を印刷装置１００により行わせるのに引き続いてその第２の印刷物に対する後処理をシート処理装置２００によって実行できるよう制御している。
【０１４０】
尚且つ、このように第２の印刷物を作成する場合、本実施形態にて制御部２０４は、前述の第１の印刷物に対して行われる後処理と同一又は異なる種類の後処理をその第２の印刷物に対してシート処理装置２００によって実行させるように制御している。
【０１４１】
これにより、次の効果が得られる。例えば、第１の印刷物と同じ印刷結果が印刷される第２の印刷物に対して第１の印刷物と同じ種類の後処理（後述の例ではくるみ製本処理）を施す構成と、それとは別の種類の後処理を該第２の印刷物に対して施す構成の両者に対応できるという効果が得られる。
【０１４２】
尚、本実施形態の印刷システム１０００は、これら両者に対応した構成を具備しているが、これは例示的なものとし必ずしもこれに限定されるものでもない。例えば、これらのうちの何れか一方のみに対処した構成を具備したものでも、そもそも第２の印刷物を作成する際には後処理自体を行わない構成でも良い。このように種々の形態が本発明に包含されるが、本実施形態の印刷システム１０００は、前述の効果を向上させるべく更に以下の仕組みも具備している。
【０１４３】
例えば、本実施形態にて第１、第２の制御手段として機能する制御部２０５は、如何なるトリガーでもって印刷装置１００による第２の印刷物の作成を許可するのか、その動作条件も制御している。
【０１４４】
この具体例として、前述の第１の印刷物に必要な後処理をシート処理装置２００によって実行している最中に当該第１の印刷物に係るトラブルが該シート処理装置２００にて発生したとする。制御部２０５は、このトラブルの発生を示す情報を内部の信号線を介してシート処理装置２００から受信する。そして、当該トラブルが発生したのを受け、これを条件に、制御部２０５は、前述の第２の印刷物を印刷装置１００により作成するのを許可する。
【０１４５】
尚、このトラブルとして第１の印刷物のジャム等が発生した場合、制御部２０５は、機内に残留する第１の印刷物がシート処理装置２００内部からユーザにより除去されるのを待つ。そして、このジャム除去作業が済んだ後に、該第２の印刷物の作成を印刷装置１００により開始させるよう制御部２０５により制御する。また、このケースの場合、ユーザが明示的に第２の印刷物を作成する指示をユーザインタフェースを介して入力しなくても、制御部２０５によるこれらの判断でもって自動的に第２の印刷物が作成されるように制御する。ただし、これらの構成も例示的なものとし、このようなケースの場合でもユーザから当該指示を受け付けたのを条件に第２の印刷物を作成させるように制御する構成でも良い。
【０１４６】
また、前述の具体例とは別の具体例として、本実施形態にて制御部２０５は、前述の第１の印刷物に必要な後処理がシート処理装置２００によって実行された後に、前述の第２の印刷物の作成要求を前述のユーザインタフェースを介してユーザから受付可能に制御する。そして、この作成要求を受け付けたことに応じて、これを条件に、制御部２０５は、前述の第２の印刷物を印刷装置１００により作成するのを許可する。このような方法で、ユーザから第２の印刷物の作成要求を受けうけたことに応じて、該第２の印刷物を印刷装置１００によって作成できるように制御部２０５により制御する。
【０１４７】
また、本実施形態の印刷システム１０００は、前述の効果を向上できるように、前述の印刷データを無駄に持ちつづけないようにする仕組みも具備している。
【０１４８】
例えば、本実施形態の印刷システム１０００は、前述のような方法で前述の印刷データ受付手段によって受け付けた第１の印刷物の作成に利用した印刷データを適正なタイミングで破棄（消去）する手段を更に具備している。本実施形態では、この手段として前述の制御部２０５が機能し、これにより以下の具体例に示す処理を行うことができる。
【０１４９】
まず、第１の印刷物を作成する際に利用した印刷データを前述した何れかの方法で印刷データ受付手段により取得し、それをＨＤＤ２０９などの所定の記憶手段に記憶させるよう制御部２０５により制御する。これにより、第２の印刷物の作成に備える。このように、制御部２０５が、印刷装置１００による第２の印刷物の作成開始を待機状態にする構成については、前述したとおりである。
【０１５０】
そして、この具体例においては、この第２の印刷物の作成準備が済んだ後に、前述の印刷データを破棄するか否かに関する所定の判断を制御部２０５により行う。
【０１５１】
具体的には、前述の第１の印刷物に係るトラブルが発生すること無しにその第１の印刷物に必要な後処理がシート処理装置２００にて終了したか否かを制御部２０５により判断する。そして、この判断にて当該トラブルの発生無しに第１の印刷物に必要な後処理が済んだことを意味するＹＥＳ判定を下した場合、制御部２０５は、この印刷データをＨＤＤ２０９から破棄（消去）するよう制御する。
【０１５２】
一方、この後処理の途中で第１の印刷物のジャムなどのエラーが発生した場合はこの判断にてＮＯ判定を下す。この場合、制御部２０５は、当該印刷データをＨＤＤ２０９から破棄（消去）せずに引き続き該データを保持させておくよう制御する。このように、第１の印刷物に対する後処理が失敗したのを補填するために第２の印刷物を印刷装置１００で作成するといったケースに備えるように、制御部２０５により制御する。
【０１５３】
また、本実施形態の印刷システム１０００は、以下の具体例に示す仕組みを更に具備している。
【０１５４】
例えば、前述のように第２の印刷物を作成する準備を済ませた後、トラブルも無く前述の第１の印刷物に必要な後処理がシート処理装置２００にて無ことに終了したとする。すると制御部２０５は、この後処理の終了の時点から、第２の印刷物の作成要求が前述のユーザインタフェースを介して入力された否かの判断を開始する。
【０１５５】
そして、この終了の時点から予め定められた時間が経過するまでの間に該第２の印刷物の作成要求をユーザインタフェースを介して受け付けなかったとする。この場合、これを条件に、制御部２０５は、前述の印刷データをＨＤＤ２０９から破棄（消去）するよう制御する。
【０１５６】
一方、この終了の時点から予め定められた時間が経過するまでの間に該第２の印刷物の作成要求をユーザインタフェースを介して受け付けたとする。この場合、当該要求の受付を契機に、前述の印刷データを用いて第２の印刷物の作成を印刷装置１００により開始させるよう制御部２０５により制御する。
【０１５７】
以上の２つの具体例のように印刷システム１０００を構成することで、種々のユースケースに柔軟に対応できる。このユースケースの具体例としては、満足のいく後処理が第１の印刷物に施されたのを確認したユーザが、これと同じものを増刷したい等の要求を行うといったケースである。また、他の後処理を行いたいので再度印刷物を作成し直したいといったケースも、この具体例である。
【０１５８】
本実施形態の印刷システム１０００は、このような要求に応えられるように該印刷データをＨＤＤ２０９から破棄（消去）せずに引き続き保持させるよう制御する。また、その一方で、このような要求が無いにも拘らず無駄に該データを保管しておくといったトラブルが発生しないように前述の仕組みを具備している。
【０１５９】
尚、本実施形態にて印刷システム１０００は、これら２つの具体例に対応する構成の両方を具備しているが、これも例示的なものとし、これに限定されるものでもない。例えば、何れか一方の具体例に相当する構成を具備するもの、或いは、いずれの構成も持たないものでも本発明に包含される。また、本実施形態にて印刷システム１０００は、前述の効果を更に向上できるように更に以下の仕組みも具備している。
【０１６０】
例えば、第１の印刷物に対する後処理を要する前述の特定種類のジョブの実行要求を受け付けるのに伴って、本実施形態にて制御部２０５は、所定の指示をユーザインタフェースを介してユーザから受付可能に制御している。この所定の指示とは、前述の印刷データ受付手段によって前述の印刷データを取得させる指示（取得指示）である。
【０１６１】
後述する具体例では、この指示のほかにも更に、この印刷データの取得先を指定するための情報（取得先特定情報）を、前述のユーザインタフェースを介してユーザから受付可能に制御部２０５により制御する構成を例示している。
【０１６２】
そして、この構成において制御部２０５は、所定の判断を行う判断手段として機能する。この所定の判断として、制御部２０５は、該特定種類のジョブの実行要求を受け付けるのに伴って前述の取得指示及び／または前述の取得先特定情報が該ユーザインタフェースを介して入力されたか否かの判断を行う。
【０１６３】
そして、この判断結果によって、当該取得指示及び／又は当該取得先特定情報の入力無しと判断した場合、制御部２０５は、前述の第２の印刷物を印刷装置１００により作成しないよう制御する（作成可否の決定）。この場合、前述の印刷データ受付手段によって前述の印刷データを取得すること自体もキャンセルするよう制御部２０５により制御しても良い。
【０１６４】
一方、前述の取得指示及び／または前述の取得先特定情報の入力有りと判断した場合、制御部２０５は、前述の第２の印刷物を印刷装置１００により作成できるように制御する（作成可否の決定）。この場合、制御部２０５は、前述したような方法で、少なくとも第１の印刷物の作成終了を待たずして前述の印刷データを確保しておき、第２の印刷物の作成に備えるように制御する。
【０１６５】
尚、本実施形態の印刷システム１０００は、この具体例とは別の具体例に対応した仕組みも更に具備している。
【０１６６】
例えば、本実施形態の印刷システム１０００は、前述の方法によって第１の印刷物を作成する際に利用した印刷データを取得したら、その印刷データを印刷装置１００によりアクセス可能な記憶手段として機能するＨＤＤ２０９に保持できるように構成されている。
【０１６７】
この構成において制御部２０５は、該ＨＤＤ２０９に該印刷データが存在するか否かの判断を行う判断手段としても機能する。この判断結果によって、該印刷データは存在しないと判断した場合、制御部２０５は、第２の印刷物の作成を印刷装置１００により行わないよう（キャンセルするよう）制御する。また、前述のように、第２の印刷物を作成する非特定種類のジョブとして前述の印刷待ち行列に対して当該ジョブを既にエントリーしている状況の場合には、この判定結果に従い、当該待ち行列からこの非特定種類のジョブを削除するよう制御部２０５により制御する。
【０１６８】
一方、この判断結果によって、該印刷データがＨＤＤ２０９に存在すると判断した場合、制御部２０５は、第２の印刷物の作成を印刷装置１００により実行できるよう制御する。この場合、該第２の印刷物を作成する非特定種類のジョブを、前述のような方法で、他の印刷ジョブと同様に印刷待ち行列にエントリーするよう制御部２０５により制御する。このような方法で、他の印刷ジョブに対して不用意に影響を与えること無しに適正なタイミングで当該第２の印刷物を印刷装置１００により作成できるよう、制御部２０５により制御する。
【０１６９】
尚、本実施形態にて印刷システム１０００は、これら２つの具体例に対応する構成の両方も具備しているが、これも例示的なものとし、これに限定されるものでもない。例えば、何れか一方の具体例に相当する構成を具備するもの、或いは、いずれの構成も持たないものでも本発明に包含される。
【０１７０】
以上に説明したように、本実施形態の印刷システム１０００は、印刷手段による印刷を伴うこと無しに該印刷手段に接続された後処理手段による後処理を実行可能に構成されている。そして、本実施形態の印刷システム１０００は、この構成に関連する各種の制御を実行可能にした構成を具備している。しかし、本実施形態の印刷システム１０００のようにこれらの全てを構成を具備するようにしても良いし、何れかの構成を備えるものでも良い。例えば、前述の効果が少なくとも１つが得られるような構成ならば如何なる構成でも適用可能である。
【０１７１】
また、上述した各種構成や後述の具体例では、プリンタ部２０３を有する印刷装置１００に具備される制御部２０５が、前述のように第１、第２の制御手段や各種の判断手段として機能する構成を採用している。しかし、これは例示的なものであり、このような内部的な構成に関しては如何なる形態でもよく、これに限定されるものでもない。
【０１７２】
例えば、本実施形態で説明するこれらの手段により実現される各種の判断及び／又は制御を、印刷装置１００とデータ通信可能な他のデバイスに具備されるＣＰＵによって実現する構成でも良い。例えば、図１のＰＣ１０３、１０４や、シート処理装置２００、印刷システム１００１などは、このデバイスとして適用できる。このように本実施形態の印刷システム１０００は、印刷装置１００とは異なる他の装置に前述の第１、第２の制御手段などの全ての手段または何れかの手段が具備される構成にも適用できるように構成されている。
【０１７３】
次に、上述した本実施形態の各種の構成ならびにその制御の具体例として以下に具体例１と具体例２を順に説明する。尚、以下の具体例で説明する構成以外の構成については、全て前述の構成のとおりなので、この点については省略する。
【０１７４】
また、以下の具体例１や２では、図示する各種のユーザインタフェース画面を制御部２０５が操作部２０４に表示させるように制御する構成を例示しているが、これに限定されるものでもない。例えば、上述したように、ＰＣ１０３、１０４や印刷システム１００１といった他のデバイスのユーザインタフェースでこれらと同等の画面を提供可能にした構成でも良い。
【０１７５】
また、以下の具体例１、２では、各種のフローチャートの処理を実行するためのコンピュータ実行可能なプログラムを制御部２０５が印刷装置１００内部のメモリから読出して実行する構成を例示する。これにより、以下で説明する各種のフローチャートの処理が遂行される。尚、以下の具体例１、２では、このような構成を例示するが、これに限定されるものでもない。例えば、上述したように、これとは別の装置に具備されるＣＰＵによってこれらの処理が遂行される構成でも本実施形態の印刷システム１０００は適用できる。
【０１７６】
以上を踏まえて、以下に、前述した本実施形態の印刷システム１０００が具備する構成に対応する具体例１を説明する。ここでは、前述の特定種類のジョブとして、シート処理装置２００のみを用いてジョブを処理する機能についての具体例を説明する。
【０１７７】
[具体例１]
図９は、シート処理装置２００のみを用いてジョブ（前述の特定種類のジョブに相当）を処理する機能の、基本フローチャートである。まず、印刷システム１０００に備えられた操作部２０４のタッチパネル部４０１のようなユーザインタフェースを提供し、ジョブの実行要求を受ける（ステップＳ１２０１）。
【０１７８】
ここで、制御部２０５は、タッチパネル部４０１に表示される画面上の、図６に示すシート処理設定のキー６０９がオペレータにより押されると、図７の画面をタッチパネル部４０１に表示させる。この図７の画面に具備されているマニュアル設定ボタン７１３は、ここで述べる、シート処理装置２００だけを用いた処理を指示する。制御部２０５は、本ボタンが押下されたら、シート処理装置２００だけを用いた処理の実行要求がなされたと判断する（ステップＳ１２０２）。
【０１７９】
次に、制御部２０５は、シート処理装置２００だけを用いた処理の実行要求がなされたと判断した場合を考える。この時、制御部２０５は、図１０の画面を表示し、処理中に何らかの処理中断事象（Ｊａｍ等）が発生した際のエラー復帰を意識したジョブ処理を行うかどうかをオペレータに選択させる（ステップＳ１２０３)。この際、図１０の画面に示すように、そのためには処理対象であるシートを印刷した印刷装置の情報が必要である旨を、合わせてオペレータに伝える。
【０１８０】
また、ステップＳ１２０２において、シート処理のみを行うジョブではないと判断された場合を考える。この時、前述のとおり、印刷装置１００に具備された走査部２０４を介して指示された印刷設定に従い、制御部２０５はプリンタ部２０３を制御して印刷を行う。そして、下流に接続されたシート処理装置による所望のシート処理が行われるよう、印刷システム１０００を制御する（ステップＳ１２１１）。
【０１８１】
次に、エラー復帰を意識したジョブ処理を行う旨が、オペレータにより選択された場合を考える。この時、制御部２０５は、次の処理を行う。外部Ｉ／Ｆ２０２、およびネットワーク１０１を介して、通信可能状態にある印刷システム１００１、あるいは、サーバコンピュータ１０３（ＰＣ１０３）、クライアントコンピュータ１０４（ＰＣ１０４）の探索を行う（ステップＳ１２０４）。そして、探索された印刷システムの一覧を、図１１のような画面を用いて表示すると共に、オペレータに対して選択候補として提示し、選択させる（ステップＳ１２０５）。
【０１８２】
次に、オペレータにより、図１１において選択候補として表示した印刷システムおよびサーバコンピュータ、クライアントコンピュータの中からひとつを選択させた場合を考える。この時、制御部２０５は、外部Ｉ／Ｆ２０２、およびネットワーク１０１を介して、選択された対象より印刷データの一覧を取得する(ステップＳ１２０６)。更に、図１２のような画面を用いて表示し、オペレータに印刷データを選択させる（ステップＳ１２０７）。前記ステップＳ１２０５、ステップＳ１２０７において、オペレータが選択候補として表示された項目からの選択を行わなかった場合、図１３の画面を表示し、実行するシート処理をオペレータに選択させる（ステップＳ１２１２）。
【０１８３】
図１３は、印刷装置１００に接続されているシート処理装置２００の種類および構成により、表示する項目が間引かれた画面となっている。例えば、先に述べた中綴じ製本機２００−３ｃが接続されていない構成であった場合、中綴じ製本の項目は表示されない。また、印刷装置１００において印刷を行うことで意味をもつシート処理に関する項目も表示されない。例えば、先に述べた大容量スタッカへの排紙処理、大容量スタッカを２つ用いて、切り替えながら排紙を行う大量積載処理といった項目は表示されない。
【０１８４】
そして、オペレータは、図１３の画面を用いて前述のジョブ（印刷を伴わずに後処理を実行する特定種類のジョブ）に必要なシート処理（後処理）を選択した後、操作部２０４に設けられているスタートキー５０３を押下する。これにより、中断時のリカバリ機能を用いず、指定されたシート処理のみジョブを実行ジョブ処理を開始する（ステップＳ１２１３）。
【０１８５】
ステップＳ１２０５において、選択候補として表示された印刷システム、およびサーバコンピュータ、クライアントコンピュータの中に、オペレータが意図した対象が存在しなかった場合、選択処理をスキップして、処理を進めることができることが必要である。そのため本フローは必要なものである。また、ステップＳ１２０７においても同様で、選択候補として表示された印刷データの一覧の中に、オペレータが意図した対象が存在しなかった場合、選択処理をスキップして、処理を進めることができることが必要である。そのため本フローは必要なものである。
【０１８６】
一方、オペレータにより図１２において選択候補として表示した印刷データ一覧の中からひとつが選択された場合、制御部２０５は、次の処理を行う。外部Ｉ／Ｆ２０２、およびネットワーク１０１を介して選択された印刷データを取得し、ＨＤＤ（ハードディスクドライブ）２０９に保存する（ステップＳ１２０８）。
【０１８７】
次に、制御部２０５は、図１３を表示し、実行するシート処理をオペレータに選択させる（ステップＳ１２０９）。そして、オペレータは、図１３を用いて選択した後、操作部２０４に設けられているスタートキー５０３を押下することで、中断時のリカバリ機能を用いた、シート処理のみジョブを実行する（ステップＳ１２１０）。ここで、ステップＳ１２０９での、オペレータによるシート処理選択は、必ずしもステップＳ１２０８での、印刷データ獲得およびＨＤＤ２０９への保存処理の終了を待つ必要はない。これは、印刷データの中にはデータサイズの大きなものが存在するため、外部Ｉ／Ｆ２０２およびネットワーク１０１を介したデータ獲得およびＨＤＤ２０９への保存処理に時間がかかる恐れがあるためである。
【０１８８】
近年のシート処理装置の多機能化により、シート処理の設定には多数の項目が存在するようになり、これに比例してステップＳ１２０９においてオペレータがシート処理設定に費やす時間も増加している。そこで、ステップＳ１２０８での処理を、ステップＳ１２０９において、オペレータがシート処理設定を行っている間、平行して処理することにより、全体としての処理時間を軽減することができる。
【０１８９】
例として、先の述べた糊付け製本機２００−３ｂによるくるみ製本処理を行うジョブを用いて説明する。くるみ製本処理をジョブに設定する場合、まずオペレータは、図１３にて、糊付け製本（１）（くるみ製本）のボタン７０７を押下する。すると、制御部２０５は、タッチパネル部４０１に図２１ａのような表示を行い、くるみ製本の仕上がりサイズ設定をオペレータに促す。そして、次にオペレータは、図２１ａにおいて仕上がりサイズを入力した後、次へボタン２１００を押下する。すると、制御部２０５は、タッチパネル４０１に図２１ｂのような表示を行い、種々の設定入力を促す。
【０１９０】
まず、表紙の設定を行う必要がある。オペレータは表紙の設定を行う場合、図２１ｂにおける表紙設定２１０１において、表紙の用紙設定を行う。この時、制御部２０５は、タッチパネル部４０１に図２１ｄのような画面を提供する。また、本文の設定も行う必要がある。オペレータは本文の設定を行う場合、図２１ｂにおける本文設定２１０２において用紙設定を行う。この時、制御部２０５は、タッチパネル部４０１に図２１ｅのような画面を提供する。
【０１９１】
また、断裁設定を行う必要がある。オペレータは断裁設定を行う場合、図２１ｂにおける断裁設定２１０３において、断裁しない、もしくは１方、３方の断裁方法を選択する。また、断裁に関する微調整設定を行う必要がある。オペレータは断裁に関する微調整設定を行う場合、図２１ｂにおける調整ボタン２１０４を押下し、設定を行う。この時、制御部２０５は、タッチパネル４０１に図２１ｃのような画面を提供する。
【０１９２】
また、挿入紙等の設定を行う必要がある。オペレータは挿入紙に関する設定を行う場合、図２１ｂにおける挿入紙設定ボタン２１０５を押下し、設定を行う。この時、制御部２０５は、タッチパネル部４０１に図２１ｆのような画面を提供する。
【０１９３】
以上のように、くるみ製本処理の設定を行うには複数の設定が必要なため、オペレータは設定に時間を費やすことになる。そこで、これら図２１ａ〜図２１ｆを用いて説明した設定作業に入る前に（具体的にはステップＳ１２０９より前に）、データの獲得対象選択のステップ（ステップＳ１２０４〜ステップＳ１２０７）を実行しておく。そして、前述したステップＳ１２０９以降のくるみ製本処理ジョブの設定作業と、データの獲得作業（ステップＳ１２０９）を並行して（同時に）行う。こうすることで、オペレータがデータの獲得作業の終了を意識する必要がなくなり、処理時間の軽減につながる。
【０１９４】
次に、図９のステップＳ１２１０で表される、中断時のリカバリ機能を用いた、シート処理のみジョブの実行について、図１４のフローチャートを用いて詳細を述べる。まず、制御部２０５は、ジョブが完了したかどうかを判断する（ステップＳ１８０１）。完了していない場合、次にジョブの処理が継続中かどうかを判断する（ステップＳ１８０２）。ここで継続中でないと判断された場合、何らかのジョブ中断要因事象が生じ、ジョブの処理が中断していることとなる。
【０１９５】
この場合、制御部２０５は、ジョブ中断要因事象の特定を行い、当該事象の除外を要請する旨を通知するためのエラー表示を、操作部２０４に設けられているタッチパネル部４０１に表示させる(ステップＳ１８０３)。図１５は制御部２０５により特定された要因が、シート処理装置２００に接続されている大容量スタッカ２００−３ａにおける用紙ジャムであった場合の表示例を示す。
【０１９６】
次に、制御部２０５は、ジョブ中断要因事象が除外されたことを確認したのち（ステップＳ１８０４）、ＨＤＤ２０９に、当該ジョブの印刷データが格納されているかを判断する（ステップＳ１８０５）。ＨＤＤ２０９に、当該ジョブの印刷データが格納されている場合、図１６のような画面を表示する。そして、当該ジョブを、プリンタ部２０３で最初から印刷もやり直して、再実行するか、ジョブ中断事象により失われたページのみを再印刷して、中断箇所からリカバリを行うかを、オペレータに判断させる（ステップＳ１８０６）。
【０１９７】
そして、オペレータが中断箇所からのリカバリを選択した場合、制御部２０５は、ジョブ中断事象により失われたページの特定処理を行う（ステップＳ１８０７）。ここで、印刷システム１０００のシート搬送路には、シートの搬送状況やジャムを検知するために要する複数のシート検知センサが設けられている。これらのセンサを用いることで、正常に排紙されたページおよび用紙ジャム等の中断事象が発生したページを特定することが可能である。次に、制御部２０５は、ステップＳ１８０７にて特定したページを、プリンタ部２０３で再印刷する（ステップＳ１８０８）。そして、印刷したページを含め、ジョブの復帰（再開）処理を行う（ステップＳ１８０９）。
【０１９８】
尚、この際、再印刷は行わず、中断箇所からシート処理のみを再開するという選択肢を設けてもよい。これは、特にＰＯＤの印刷現場においては、印刷システム毎のくせや個体差による色味の変化等を嫌い、１つのまとまった成果物は、すべて同じプリントエンジンを用いて印刷を行いたいという考えがあるためである。
【０１９９】
この場合、オペレータは、中断事象により失われたページを特定し、再度他の印刷システム（例えば印刷システム１００１）を用いて当該ページを印刷し、印刷システム１０００に再セットし、ジョブを再開するというフローになる。このため、制御部２０５および印刷システム１０００を、ジョブ中断事象により失われたページを特定したのち、当該ページの情報を、操作部２０４に設けられているタッチパネル部４０１に表示させるような構成としてもよい。
【０２００】
更に、ジョブが完了した場合、制御部２０５は当該ジョブの印刷データがＨＤＤ２０９に保存されているかを確認する（ステップＳ１８１０）。保存されている場合、図１７のような画面を表示し、当該印刷データの消去を行うかどうかをオペレータに確認する（ステップＳ１８１１）。そして、オペレータによって印刷データの消去が選択された場合、印刷データの消去処理を行い、ジョブの処理を終了する（ステップＳ１８１２）。
【０２０１】
[具体例２]
印刷システム１０００は、スキャナ部２０１や、サーバコンピュータ１０３およびクライアントコンピュータ１０４から、ネットワーク１０１および外部Ｉ／Ｆ２０２を介して受け取った印刷データを、ＨＤＤ２０９に保存することができる。この際、ジョブに設定されたシート処理や部数といったジョブ設定情報も、合わせて保存される。また。印刷データがなくとも、このジョブ設定情報のみを、ＨＤＤ２０９に保存することも可能である。また、ＨＤＤ２０９に保存されているこれらジョブの一覧を、操作部２０４に具備されているタッチパネル部４０１に表示することができる。
【０２０２】
更に、ネットワーク１０１および外部Ｉ／Ｆ２０２を介して、サーバコンピュータ１０３およびクライアントコンピュータ１０４や、他の印刷システム１００１へ、前記ジョブの一覧を送信することも可能である。これにより、オペレータは例えばクライアントコンピュータの画面上から、印刷システム１０００の操作を行うことができる。
【０２０３】
以下より、ＨＤＤ２０９に保存されているシート処理ジョブの実行フローについて、図１８を用いて説明する。
【０２０４】
まず、オペレータより、ジョブリストの表示要求を受ける（ステップＳ２２０１）。これをうけると制御部２０５は、まずＨＤＤ２０９内にあるジョブ設定情報を探索し、みつかったジョブ毎に、更にＨＤＤ２０９内に当該ジョブの印刷データも保存されているか否かを判断する（ステップＳ２２０２）。
【０２０５】
次に、ステップＳ２２０２において、印刷データも保存されていると判断したジョブについては、図１９のような表示をタッチパネル部４０１に表示する（ステップＳ２２０３）。ここで、オペレータは、図１９のジョブ一覧表示領域２３０３において、実行するジョブを選択することができる。そして、印刷開始ボタン２３０１を押下することで、選択したジョブを印刷することが可能である。また、設定変更ボタン２３０２を押下することで、選択したジョブのジョブ設定を変更することが可能である。
【０２０６】
ここで、ステップＳ２２０２において、印刷データも保存されていると判断したジョブを、オペレータがジョブ一覧表示領域２３０３にて選択した場合、次の表示がされる。図１９のように、シート処理（後処理、フィニッシング）のみを行うかどうかの選択ボタン２３０４が表示される。そして、オペレータはこの選択ボタン２３０４を操作した上で、印刷開始ボタン２３０１が押下し、ジョブの実行要求を行う（ステップＳ２２０４）。ステップＳ２２０４にてジョブの実行要求がなされると、制御部２０５は、ステップＳ２２０３にて表示した選択ボタン２３０４の設定を見て、シート処理のみを行うジョブか、印刷とシート処理を行うジョブかを判断する（ステップＳ２２０５）。
【０２０７】
次に、ステップＳ２２０５にて、シート処理のみを行うジョブであると判断した場合、図９にて前述したステップＳ１２１３と同様の処理を行うよう、制御部２０５は、プリンタ部２０３およびシート処理部２００を制御する（ステップＳ２２０６）。
【０２０８】
また、ステップＳ２２０５にて、印刷とシート処理を行うジョブであると判断した場合、図９にて前述したステップＳ１２１１と同様の処理を行うよう、制御部２０５は、プリンタ部２０３およびシート処理部２００を制御する（ステップＳ２２０７）。
【０２０９】
一方、ステップＳ２２０２において、印刷データが保存されていないと判断したジョブについては、図２０のような表示を、タッチパネル部４０１に表示する（ステップＳ２２０８）。ここで、オペレータは、前述の図１９同様に、ジョブ一覧表示領域２４０３において、実行するジョブを選択することができる。尚、印刷データが保存されていないと判断したジョブについては、その旨を伝えるコメント２４０４が、ジョブの名称と共に表示される。そして、印刷開始ボタン２４０１を押下することで、選択したジョブを印刷することが可能である。また、設定変更ボタン２４０２を押下することで、選択したジョブのジョブ設定を変更することが可能である。
【０２１０】
ここで、ステップＳ２２０２において、印刷データが保存されていないと判断したジョブを、オペレータがジョブ一覧表示領域２４０３にて選択した場合を考える。この時、タッチパネル部４０１に、図２０のような、ジョブ処理中に何らかの処理中断事象（Ｊａｍ等）が発生した際のエラー復帰を意識したジョブ処理を行うかどうかの選択ボタン２４０５が表示される。そして、オペレータはこの選択ボタン２４０５を操作した上で、印刷開始ボタン２４０１を押下し、ジョブの実行要求を行う（ステップＳ２２０９）。ステップＳ２２０９にてジョブの実行要求がなされると、制御部２０５は、ステップＳ２２０８にて表示した選択ボタン２３０４の設定を見て、エラー復帰を意識したジョブ処理を行うかを判断する（ステップＳ２２１０）。
【０２１１】
次に、ステップＳ２２１０にて、エラー復帰を意識したジョブ処理を行わないジョブであると判断した場合、次の制御を行う。図９にて前述したステップＳ１２１３と同様の処理を行うよう、制御部２０５は、プリンタ部２０３およびシート処理部２００を制御する（ステップＳ２２１１）。
【０２１２】
次に、ステップＳ２２１０にて、エラー復帰を意識したジョブ処理を行うとジョブであると判断した場合、図９にて前述したステップＳ１２０４と同様の処理を行うよう、制御部２０５は、印刷システム１０００を制御する（ステップＳ２２１２）。
【０２１３】
つまり、制御部２０５は、外部Ｉ／Ｆ２０２、およびネットワーク１０１を介して、通信可能状態にある印刷システム１００１、あるいは、サーバコンピュータ１０３（ＰＣ１０３）、クライアントコンピュータ１０４（ＰＣ１０４）の探索を行う。そして、探索された印刷システムの一覧を、図１１のような画面を用いて表示すると共に、オペレータに対して選択候補として提示し、選択させる。以降のフローは、前述の図９におけるフローと同様である。
【０２１４】
尚、本実施形態の印刷システム１０００は、上述のように、これらの各種の構成が矛盾のない範囲で如何様にも組み合わせることができるように構成されている。
【０２１５】
ここで、以上のように、前述した実施形態の機能を実現するソフトウェアのプログラムコードを記録したコンピュータ読取可能な記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。この場合、記憶媒体から読み出されたプログラムコード自体が本発明の新規な機能を実現することとなる。
【０２１６】
即ち、次の記憶媒体、及び／又は、そのプログラム自体（プログラムプロダクト）が本発明を構成することになる。前記記憶媒体は、上述した本実施形態の各種ストラクチャーに対応する各種の方法をコンピュータシステムに実行させるためのプログラムコードを含むコンピュータ実行可能なプログラムを格納した記憶媒体である。従って、このようなコンピュータ実行可能なプログラムの機能を有していれば、オブジェクトコード、インタプリタにより実行されるプログラム、ＯＳに供給するスクリプトデータ等、プログラムの形態は問わない。
【０２１７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。この場合、記憶媒体から読出されたプログラムコード自体が前述した実施形態の機能を実現することになり、そのプログラムコードを記憶した記憶媒体は本発明を構成することになる。
【０２１８】
その他、プログラムの供給方法としては次のようなものがある、即ち、クライアントコンピュータのブラウザを用いてインターネットのホームページに接続する。そして、このホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２１９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０２２０】
また、コンピュータが読出したプログラムコードを実行することで、前述の実施形態の機能が実現されるだけでなく、そのプログラムコードの指示に基づき、コンピュータ上で稼働しているＯＳ（オペレーティングシステム）等が実際の処理の一部又は全部を行う。従って、その処理によって前述した実施形態の機能が実現される場合も含まれることは言うまでもない。
【０２２１】
更に、記憶媒体から読み出されたプログラムコードが、コンピュータに挿入された機能拡張ボードやコンピュータに接続された機能拡張ユニットに備わるメモリに書き込まれたとする。この場合、そのプログラムコードの指示に基づき、その機能拡張ボードや機能拡張ユニットに備わるＣＰＵ等が実際の処理の一部または全部を行う。従って、その処理によって前述した実施形態の機能が実現される場合も含まれることは言うまでもない。
【０２２２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０２２３】
本発明は本実施形態に限定されるものではなく、本発明の趣旨に基づき種々の変形（各実施形態の有機的な組合せを含む）が可能であり、それらを本発明の範囲から除外するものではない。
【０２２４】
以上種々の構成を具備したシステム構成となっている本実施形態により、上述の種々の効果が図れる。しかし、これらの全てを具備した構成でなくてもよい。例えば、上述した本実施形態に関する主要部分の制御のみを実行できるものならば、本実施形態に適用できる。又、本実施形態では、上述した操作部２０４に関する操作制御と印刷システム１０００の実際の印刷動作に係る出力制御を制御部２０５が実行する構成を例示したが、このうちの操作制御に関しては操作制御部といった別の制御部が行う構成でも良い。
【０２２５】
また、例えば、本実施形態では、印刷装置１００に具備される制御部２０５により上述の複数の制御が実行される構成を例示的に説明した。しかし、制御部２０５とは異なる他の制御部が、上述した複数の制御のうちの一部又は全部の制御を実行する構成でも良い。例えば、制御部２０５とは異なる他の制御部として、印刷装置１００とは別筐体の外付けコントローラや、ＰＣ１０４などの遠隔の外部装置のＣＰＵや、インラインフィニッシャが具備するＣＰＵを利用できるようにする。これにより、印刷システム１０００が設置されうる印刷環境に即した柔軟性に富んだ印刷環境が構築可能となるという効果が更に向上可能となるという効果が図れる。
【０２２６】
また、本実施形態では、印刷手段に接続された後処理手段による後処理を該印刷手段による印刷を伴わずに利用可能にした仕組みに係る複数の構成要件を印刷装置１００が具備している。しかし、本発明はこれに限定されるものでもない。例えば、これら複数の構成要件のうちの少なくとも何れかを具備する印刷装置及び／又は後処理装置及び／又は印刷システムであっても本発明に包含される。
【０２２７】
また、上述の実施形態では、この仕組みに関する複数の判断や制御を行う手段として制御部２０５が機能する構成を例示したが、これに限定されるものでもない。例えば、上述した制御部２０５で実行される対象となる複数の判断及び／又は制御のうちの何れかの判断及び／又は制御を別のユニットが行う構成でも良い。これにより、例えば、１つのＣＰＵで装置及び／又はシステムが制御される構成でも、複数のＣＰＵが協働することで装置及び／又はシステムが制御される構成にも本発明は適用される。
【０２２８】
このように、本実施形態によれば、今後のデジタルプリンティングシステムを見据えた利便性のある印刷システムが提供可能となる。例えば、従来で想定したようなＰＯＤ環境で想定されうるユースケースやニーズに対処可能な便利で柔軟な印刷環境が構築可能となり、製品実用化に向けての様々な仕組みが提供可能となる。
【０２２９】
以上、本発明の様々な例と実施形態について説明したが、当業者であれば、本発明の趣旨と範囲は、本明細書内の特定の説明に限定されるものではないことは明らかである。
【符号の説明】
【０２３０】
１００  印刷装置
２００  シート処理装置
１０００、１００１  印刷システム
１００００  ＰＯＤシステム
【図１】
0005766236.tif 000002
【図２】
0005766236.tif 000003
【図３】
0005766236.tif 000004
【図４】
0005766236.tif 000005
【図５】
0005766236.tif 000006
【図６】
0005766236.tif 000007
【図７】
0005766236.tif 000008
【図８】
0005766236.tif 000009
【図９ａ】
0005766236.tif 000010
【図９ｂ】
0005766236.tif 000011
【図１０】
0005766236.tif 000012
【図１１】
0005766236.tif 000013
【図１２】
0005766236.tif 000014
【図１３】
0005766236.tif 000015
【図１４】
0005766236.tif 000016
【図１５】
0005766236.tif 000017
【図１６】
0005766236.tif 000018
【図１７】
0005766236.tif 000019
【図１８】
0005766236.tif 000020
【図１９】
0005766236.tif 000021
【図２０】
0005766236.tif 000022
【図２１ａ】
0005766236.tif 000023
【図２１ｂ】
0005766236.tif 000024
【図２１ｃ】
0005766236.tif 000025
【図２１ｄ】
0005766236.tif 000026
【図２１ｅ】
0005766236.tif 000027
【図２１ｆ】
0005766236.tif 000028